(57)【要約】【課題】  寸法精度の低いクローゼット等の開口部に対し、アーム両端の連結部分の高さの相違を吸収しうる開き角度調整装置を提供する。【解決手段】  住宅の開口部１へ開閉自在に建て付けた扉２に固着する扉取付具12と、前記開口部１上縁に取り付けた案内レール３に沿って移動自在な移動体４と、前記案内レール３に固着して移動体４の移動範囲を制限するストッパ６と、両端の移動体側回動軸部5a及び扉側回動軸部5bを扉取付具12及び移動体４それぞれへ水平回動自在に連結したアーム５とからなる扉の開き角度規制装置において、アーム５は移動体側回動軸部5a又は扉側回動軸部5bの少なくとも一方を移動体４又は扉取付具12へ上下動自在に連結してなり、前記移動体側回動軸部5a又は扉側回動軸部5bの上下動範囲を扉２の建付高さ調整に伴う扉２の上下動範囲以上とした扉の開き角度規制装置である。【選択図】  図１
2005082985.tif 000002
【特許請求の範囲】
【請求項１】
住宅の開口部へ開閉自在に建て付けた扉に固着する扉取付具と、前記開口部上縁に取り付けた案内レールに沿って移動自在な移動体と、前記案内レールに固着して移動体の移動範囲を制限するストッパと、両端の移動体側回動軸部及び扉側回動軸部を扉取付具及び移動体それぞれへ水平回動自在に連結したアームとからなる扉の開き角度規制装置において、アームは移動体側回動軸部又は扉側回動軸部の少なくとも一方を扉取付具又は移動体へ上下動自在に連結してなり、前記移動体側回動軸部又は扉側回動軸部の上下動範囲を扉の建付高さ調整に伴う扉の上下動範囲以上としたことを特徴とする扉の開き角度規制装置。
【請求項２】
アームは、棒体の両端部を直角に折り曲げて移動体側回動軸部及び扉側回動軸部を形成してなり、移動体側回動軸部を移動体に穿孔した移動体側連結孔に、扉側回動軸部を扉取付具に穿孔した扉側連結孔にそれぞれ挿通し、各連結孔から突出する移動体側回動軸部及び扉側回動軸部の部位に各連結孔より大径の移動体側抜止部及び扉側抜止部を設けた請求項１の扉の開き角度調整装置。
【請求項３】
アームは、移動体側回動軸部の上下動範囲を扉の建付高さ調整に伴う扉の上下動範囲以上とした請求項２の扉の開き角度調整装置。
【請求項４】
アームは、扉側回動軸部の上下動範囲を扉の建付高さ調整に伴う扉の上下動範囲以上とした請求項２の扉の開き角度調整装置。
【請求項５】
アームは、移動体側回動軸部の上下動範囲と扉側回動軸部の上下動範囲との和を扉の建付高さ調整に伴う扉の上下動範囲以上とした請求項２の扉の開き角度調整装置。
【発明の詳細な説明】
【技術分野】
【０００１】
本発明は、例えば住宅のクローゼット等の開口部に開閉自在に設けられる扉の開き角度を規制する扉の開き角度規制装置に関する。
【背景技術】
【０００２】
扉の開き角度規制装置は、例えば特許文献１に見られるように、扉枠(開口縁)の上の部材として設けた上レール(案内レール)に沿って移動自在に配した移動体と、扉枠(開口縁)に回動自在に取り付けられた扉の上面と上記移動体とに両端部を回動自在に連結したアームと、上レール(案内レール)の扉の回動軸側の端部と移動体との間に固定され、扉を開いた時に移動体が当接するストッパとを備えている。
【０００３】
【特許文献１】特公平07-113299号公報(２〜３頁、図８)
【発明の開示】
【発明が解決しようとする課題】
【０００４】
特許文献１の開き角度規制装置は、左右の縦枠間の上下端に上下レールを架設して全体を矩形状に枠組みし、高い寸法精度で組み付けられる扉枠に建て付けるドア、例えば、浴室ドアや玄関ドアへの使用に適している。しかし、建物内部のクローゼット等の扉には高い気密性が要求されないから、クローゼット等の開口部は寸法誤差が比較的大きくなりやすく、コストが高くつく特許文献１の開き角度規制装置を用いた扉枠はクローゼット等の扉に適さない。
【０００５】
クローゼット等の開口部では、扉との間に大きな隙間が発生することがあるので、扉の建付位置を上下や左右に調整可能な構造とし、上記隙間を目立たなくしている。このように扉の上下建付位置を調整しようとした場合、開き角度規制装置のアームは、両端の連結部分の高さ位置が相対的に変化してしまうので、アームの連結部やアームそのものに変形や破損が生じ、扉の開閉操作に支障を来してしまう虞があった。そこで、寸法精度の低いクローゼット等の開口部に対し、アーム両端の連結部分の高さの相違を吸収しうる開き角度調整装置を開発するため、検討した。
【課題を解決するための手段】
【０００６】
検討の結果開発したものが、住宅の開口部へ開閉自在に建て付けた扉に固着する扉取付具と、前記開口部上縁に取り付けた案内レールに沿って移動自在な移動体と、前記案内レールに固着して移動体の移動範囲を制限するストッパと、両端の移動体側回動軸部及び扉側回動軸部を扉取付具及び移動体それぞれへ水平回動自在に連結したアームとからなる扉の開き角度規制装置において、アームは移動体側回動軸部又は扉側回動軸部の少なくとも一方を扉取付具又は移動体へ上下動自在に連結してなり、前記移動体側回動軸部又は扉側回動軸部の上下動範囲を扉の建付高さ調整に伴う扉の上下動範囲以上とした扉の開き角度規制装置である。
【０００７】
具体的なアームは、棒体の両端部を直角に折り曲げて移動体側回動軸部及び扉側回動軸部を形成してなり、移動体側回動軸部を移動体に穿孔した移動体側連結孔に、扉側回動軸部を扉取付具に穿孔した扉側連結孔にそれぞれ挿通し、各連結孔から突出する移動体側回動軸部及び扉側回動軸部の部位に各連結孔より大径の移動体側抜止部及び扉側抜止部を設けるとよい。このアームは、(1)移動体側回動軸部の上下動範囲を扉の建付高さ調整に伴う扉の上下動範囲以上とする、(2)扉側回動軸部の上下動範囲を扉の建付高さ調整に伴う扉の上下動範囲以上とする、又は(3)移動体側回動軸部の上下動範囲と扉側回動軸部の上下動範囲との和を扉の建付高さ調整に伴う扉の上下動範囲以上にするとよい。
【発明の効果】
【０００８】
本発明によれば、扉の建付位置を上下に調整しても、アームの移動体側回動軸部又は扉側回動軸部が上下動して、扉の建付高さ調整に伴う扉の上下動を吸収することにより、アームの移動体側回動軸部又は扉側回動軸部はもとより、アームそのものに変形や破損が起こらず、扉の開閉操作に支障を来してしまう恐れをなくすことができる。
【発明を実施するための最良の形態】
【０００９】
以下、本発明の実施形態について図を参照しながら説明する。図１は本発明の開き角度調整装置を取り付けた扉２の側面図、図２は同扉２の上端面側を表した平面図、図３は同扉２の下端面側を表した平面図、図４は同扉２の上端面側を表した斜視図、図５は同扉２の下端面側を表した斜視図、図６は同扉２の上端面側を表した一部破断正面図、図７は図６中Ａ−Ａ断面図、図８は図６中Ｂ−Ｂ断面図、図９は上ピボット具８の扉２に対する取付関係を表した分解斜視図であり、そして図10は開き角度調整装置の上下動の様子を表した要部断面図である。
【００１０】
本例の開き角度調整装置は、開口部１に一側端を軸に旋回可能に取り付けられた扉２の開き角度を調節可能にする。具体的な開き角度調整装置は、開口部１の上縁に設けた案内レール３に沿って移動可能に取り付けた移動体４と、一端の移動体側回動軸部5aを扉２の上部に、他端の扉側回動軸部5bを移動体４にそれぞれ回動自在に連結したアーム５と、案内レール３に取り付けられ扉２を開いた際に移動体４が当接して扉２の開きを止めるストッパ６とで構成される。
【００１１】
扉２は、前記案内レール３に取り付けた上ピボット受具７に対し、扉２の上端面に軸着され、この扉２の背面側で水平旋回可能な上ピボット具８を下方から嵌入して拘束し、開口部１の側縁下端位置に固着した下ピボット受具９に対し、扉２の下端面に螺挿して下向きに突設した下ピボットピン10の先端を軸支して拘束し、その一側端を軸に旋回可能に建て付けている。
【００１２】
案内レール３は、開口部１の幅一杯にわたって設けられ、溝部が下向きに開口する断面コの字状をし、下端から内方へ向けて水平な下縁フランジ3bを突設した構造である。具体的には、一側端に上記上ピボット具８を嵌入して拘束する上ピボット受具７が、下縁フランジ3bを上下から挟み込む形に取り付けられている。
【００１３】
上ピボット受具７は、上ピボット具８を嵌入して拘束するポケットを有する本体7aの一側を下縁フランジ3bの下面側に宛てがい、下縁フランジ3bの上面側にナット体7bを挿入し、ネジ7cで両者を締め付けて挟着した構造で、ネジ7cを緩めると案内レール３に沿って移動させることができる。
【００１４】
上ピボット具８は、図９に見られるように、水平部分が扉２の上端面に枢着され、垂直部分が扉２の裏面側に配設される金属製のベース8aと、ベース8aの垂直部に上方へ付勢して弾支され、案内レール３に取り付けた上ピボット受具７へ嵌入する凸部材8bとからなる。扉２の上端面に設けた雌ネジ孔2aに螺挿するネジ8cは、ベース8aの水平部に穿設した軸孔8dに通して枢着し、扉２に対して相対的に水平旋回させる。
【００１５】
凸部材8bは、ベース8aの垂直部に昇降自在に嵌め込んだ樹脂製ブロックであり、上ピボット受具７へ嵌入する凸突起8eが上面に形成され、上方へ反発する圧縮ばね8fを遊嵌状態で嵌め込む孔8gを底面に穿孔し、この圧縮ばね8fをベース8aとの間に介装することで上方へ付勢して弾支している。また、この凸部材8bは、ベース8aに上下方向に延設した平行レール8hによって案内されるレール溝8iを側面に設けると共に、昇降範囲を規制するためにベース8aの差し込み孔8jから差し込んだ拘束ピン8kを挿通させる上下方向の長孔からなる拘束溝8mを貫設している。
【００１６】
ここで、扉２を開口部１に取り付ける際、圧縮ばね8fにより上方へ付勢されて案内レール３に対して相対的に突出した凸部材8b(図１参照)は、そのまま案内レール３に嵌入できないが、ベース8aに対して凸部材8bを手で押し下げることで凸突起8eの先端高さが案内レール３の下面より下がり、案内レール３の上ピボット受具７に嵌入できる。
【００１７】
扉２の一側端部の下面に突設した下ピボットピン10は、扉２に対して螺着したボルト体の頭部にピン10aを突設した構造であり、ピン10aを開口部１の側縁に固着した下ピボット受具９の軸支孔9aに回転自在に嵌め込んである。
【００１８】
以上の構成により、開口部１に旋回可能に建て付けた扉２は、下ピボットピン10を回転させ、扉２の下端面からの突出長を変化させることにより、上下方向の建付位置を調整する。このとき、上ピボット具８は、その凸部材8bが圧縮ばね8fにより上方へ付勢された状態で上下摺動可能に支持されているので、扉２の建付高さが変わっても、その摺動範囲内において、常に案内レール３に対して一定深さの嵌入状態が保たれる。
【００１９】
本発明の開き角度調整装置は、この扉２の建付高さ調整に伴って発生する扉２と案内レール３との上下位置変化に対応できる構造になっている。すなわち、アーム５の移動体４への連結部分、又はアーム５の扉２上部への連結部分の構造に工夫を加えることで、装置全体を上下に変位可能とし、扉２と案内レール３との上下位置変化を吸収させる。
【００２０】
アーム５は、両端を直角に折り曲げて移動体側回動軸部5a及び扉側回動軸部5bを形成した丸棒からなる。移動体側回動軸部5aは、移動体４の上下に貫通する移動体側連結孔4aに下方から差し込まれて回転自在に取り付けてある。移動体側回動軸部5aは、先端に取り付けた移動体側抜止部5cから丸棒の折り曲げた角部までの長さが上下動範囲となる。扉側回動軸部5bは、扉２の裏面にビス11,11によってネジ固定する扉取付具12の上下に貫通する扉側連結孔12aに下方から差し込まれて回転自在に取り付けてある。扉側回動軸部5bは、先端に取り付けた扉側抜止部5dから丸棒の折り曲げた角部までの長さが上下動範囲となる。
【００２１】
移動体４は、案内レール３内を摺動する部材で、前面及び後面の上下中間位置に案内レール３の下縁フランジ3bが嵌合するスライド溝4b,4bを形成した樹脂製ブロックからなる。移動体側回動軸部5aは、先端部にＥリングを装着して移動体側抜止部5cとし、移動体側連結孔4aの上端部に形成した窪み4cに前記抜止部5cを係合させることで、抜け落ちないようにしている。このとき、移動体側回動軸部5aは、移動体４の移動体側連結孔4aの上下長より長くする(例えば１cm程度長くする)ことで、アーム５の上下移動を許容できる。
【００２２】
扉取付具12は、ビス11,11を通すネジ孔12b,12bが形成され、ビス11,11を扉２の上端裏面側に形成した下孔2b,2bに対して捩じ込んで取り付けてある。扉側回動軸部5bは、扉側連結孔12aから先端部を突出させ、この突出部分に上記移動体側回動軸部5a同様のＥリングからなる扉側抜止部5dを装着し、抜け落ちないようになっている。
【００２３】
ストッパ６は、案内レール３の下縁フランジ3bをナット体6aと本体6bとで上下から挟み込んで止めねじ6cで締め付け、案内レール３内の上ピボット受具７と移動体４との間に位置固定している。このストッパ６は、ナット体6aの移動体４側に、扉２を上下の軸部を中心にして開いた際、扉２の回動に連動してアーム５を介して移動した移動体４が当接する当接部を垂下形成してあり、扉２はそれ以上開かないようになっている。
【００２４】
ストッパ６は、止めねじ6cを緩めると、案内レール３に沿って上ピボット受具７と移動体４との間の任意の位置に移動可能である。したがって、案内レール３の適当位置へ移動させたストッパ６は、再び止めねじ6cを締め付けて前記適当位置で固定することにより、移動体４の移動範囲を増減させ、扉２の開き角度が自由に調整できる。
【００２５】
このほか、本例は、マグネットキャッチャ13とマグネット板2cとの吸着により、扉２の閉鎖状態を安定して維持できるようにしている。具体的には、図２に見られるように、マグネット板2cが扉２の裏面の上方角部に添着してあり、扉２の閉鎖状態で前記マグネット板2cに当接するように、案内レール３の適当位置にマグネットキャッチャ13を位置調整可能にネジ止めする。扉２は、マグネット板2cがマグネットキャッチャ13に近付くと磁力で引き寄せられ、マグネットキャッチャ13とマグネット2cとが吸着すると、扉２の閉鎖状態を保持できる。
【００２６】
次に、本発明の扉の建付手順について説明する。本発明の開き角度調整装置は、工場出荷時に上ピボット受具７、ストッパ６、移動体４、マグネットキャッチャ13は、予め案内レール３内に挿入状態でセットしておくことができる。アーム５は、移動体４に予め連結しており、このアーム５に扉取付具12を予め連結しておくことができる。これにより、施工現場では開口部１の上縁に案内レール３をネジ止めするだけで、上記各部材を容易に取り付けることができ、非常に作業性に優れる。
【００２７】
下ピボット受具９は、開口部１の側縁下端位置に取り付けておき、扉２を起こした状態で、扉２の下面側端に突設した下ピボットピン10のピン10aを下ピボット受具９の軸支孔9aに嵌め込む。そして、上ピボット具８は、凸部材8bを手で押し下げたまま案内レール３(上ピボット受具７)下方へ持っていき、手を離せば凸部材8bが上方へ弾発され、取り付けが完了する。
【００２８】
上ピボット受具７と下ピボット受具９とは、扉２の建付状態を確認しながら、左右の取付位置を調整する。その後、扉２の下孔2b,2bに対してビス11,11を捩じ込んで、アーム５の扉側回動軸部5bに連結された扉取付具12を扉２に固定する。最後に、扉２の上下の隙間を確認して扉２の建付高さ調整を行う。この建付高さ調整は、扉２下面の隙間からスパナ等の工具を差し込んで工具嵌合部10bに嵌合させて下ピボットピン10全体を回転させ、扉２下面からの突出長を変えることで実施する。
【００２９】
扉取付具12は、図10に示すように、扉２の上下動に合わせて上下移動量Ｈだけ上下動する。アーム５は、扉側回動軸部5bの先端に取り付けた扉側抜止部5dから丸棒の折り曲げた角部までの長さが扉取付具12に穿孔した扉側連結孔12aの長さに略等しいから、扉取付具12の上下動に合わせて上下動する。ここで、移動体側回動軸部5aは、先端に取り付けた移動体側抜止部5cから丸棒の折り曲げた角部までの長さと、移動体４に穿孔した移動体側連結孔4aの長さとの差分ｈの範囲で、扉取付具12に対して相対的に上下動できる。これにより、アーム５は、扉２に合わせて上下動する扉取付具12の位置変化を、移動体４に対する上下動により吸収し、損傷の恐れをなくすことができる。
【００３０】
このように、一方の回動軸部(例えば、扉側回動軸部5b)の長さをこの回動軸部を挿入する連結孔(例えば、扉側連結孔12a)と略等しくした場合、他方の回動軸部(移動体側回動軸部5a)の長さをこの回動軸部を挿入する連結孔(移動体側連結孔4a)以上の長さにすることで、前記回動軸部及び連結孔の長さの差分で、アーム５の上下動を図ることができる。裏返せば、少なくとも一方の回動軸部の長さをこの回動軸部を挿入する連結孔以上の長さにすればよく、更には両回動軸の長さの和が各回動軸部を挿入する連結孔の長さの和以上であればよいことが分かる。
【００３１】
図11は、開き角度調整装置の他の実施例の上下動の様子を表した要部断面図である。本例は、アーム５の移動体側回動軸部5aの長さを移動体側連結孔4aの長さと略等しくしながら、扉側回動軸部5bの長さを扉取付具12の扉側連結孔12aの長さより差分ｈだけ大きくし、扉２の上下動を扉取付具12に対する扉側回動軸部5bで吸収する構造である。したがって、扉２の上下動に際し、アーム５の捩れ(傾き)に起因するこじれが生じ難く、扉取付具12の上下移動量Ｈ、すなわち扉の上下動範囲を大きく設定できる利点がある。
【００３２】
図12は、更に開き角度調整装置の他の実施例の上下動の様子を表した要部断面図である。本例は、アーム５の移動体側回動軸部5a及び扉側回動軸部5bの長さを、移動体側連結孔4a及び扉側連結孔12aの長さよりそれぞれｈ1,ｈ2だけ長く設定し、扉２の上下動をアーム５の両回動軸部5a,5bが分担して吸収する構造である。各回動軸部5a,5bの長さは、各回動軸部5a,5bそれぞれが個別に扉２の上下動を吸収する場合に比べて短く設定できる。これにより、移動体側連結孔4aと扉側連結孔12aとの間にアーム５のこじれが生じ難く、扉取付具12の上下移動量Ｈ、すなわち扉の上下動範囲を大きく設定できる利点がある。
【図面の簡単な説明】
【００３３】
【図１】本発明の開き角度調整装置を取り付けた扉の側面図である。
【図２】本発明の扉の上端面側を表した平面図である。
【図３】扉の下端面側を表した平面図である。
【図４】扉の上端面側を表した斜視図である。
【図５】扉の下端面側を表した斜視図である。
【図６】扉の上端面側を表した一部破断正面図である。
【図７】図６中Ａ−Ａ断面図である。
【図８】図６中Ｂ−Ｂ断面図である。
【図９】上ピボット具の扉に対する取付関係を表した分解斜視図である。
【図１０】開き角度調整装置の上下動の様子を表す要部断面図である。
【図１１】開き角度調整装置の他の実施例の上下動の様子を表す要部断面図である。
【図１２】開き角度調整装置の他の実施例の上下動の様子を表す要部断面図である。
【符号の説明】
【００３４】
１  開口部
２  扉
３  案内レール
４  移動体
4a  移動体側連結孔
4c  窪み
５  アーム
5a  移動体側回動軸部
5b  扉側回動軸部
5c  移動体側抜止部
5d  扉側抜止部
６  ストッパ
７  上ピボット受具
８  上ピボット具
９  下ピボット受具
10  下ピボットピン
12  扉取付具
12a  扉側連結孔
【図１】
2005082985.tif 000003
【図２】
2005082985.tif 000004
【図３】
2005082985.tif 000005
【図４】
2005082985.tif 000006
【図５】
2005082985.tif 000007
【図６】
2005082985.tif 000008
【図７】
2005082985.tif 000009
【図８】
2005082985.tif 000010
【図９】
2005082985.tif 000011
【図１０】
2005082985.tif 000012
【図１１】
2005082985.tif 000013
【図１２】
2005082985.tif 000014